(57)【要約】【課題】  地上波デジタル放送の電波が完全に途絶えるような場合であっても、地上波デジタル放送を絶え間なく提供する地上波デジタル放送受信装置およびナビゲーション装置を提供すること。【解決手段】  車載用ナビゲーション装置１は、地上波デジタル放送局２から地上波デジタル放送を受信して、モニタ１７および音声出力装置１８に地上波デジタル放送によるテレビ放送を出力する機能を有する。ナビゲーション装置１は、地上波デジタル放送のテレビ放送の出力中、バックグランドでデータ放送のデータを抽出してハードディスク１４に格納する。車両がトンネルなどに入って地上波デジタル放送の受信が不可になったとき、ハードディスク１４に格納したデータ放送のデータを使用したデータ放送に切り替える。【選択図】        図１
2005252673.tif 000002
【特許請求の範囲】
【請求項１】
地上波デジタル放送受信装置であって、
地上波デジタル放送を受信する受信手段と、
受信した地上波デジタル放送からデータ放送に関するデータを抽出するデータ放送抽出手段と、
受信した地上波デジタル放送からテレビ放送に関するデータを抽出するテレビ放送抽出手段と、
前記データ放送抽出手段により抽出されたデータ放送に関するデータを記憶する記憶手段と、
前記地上波デジタル放送の受信が可能なとき、前記テレビ放送抽出手段により抽出されたテレビ放送に関するデータに基づくテレビ放送を表示手段に表示し、前記地上波デジタル放送の受信が不可能になったとき、前記記憶手段に記憶されたデータ放送に関するデータに基づくデータ放送を前記表示手段に表示する制御手段とを備えることを特徴とする地上波デジタル放送受信装置。
【請求項２】
請求項１記載の地上波デジタル放送受信装置において、
データ放送により取得する情報の種別を予め設定する情報種別設定手段をさらに備え、
前記記憶手段は、前記抽出されたデータ放送に関するデータの中から前記設定された情報の種別に関するデータをさらに抽出して記憶することを特徴とする地上波デジタル放送受信装置。
【請求項３】
請求項１から２のいずれかに記載の地上波デジタル放送受信装置において、
前記記憶手段に記憶されたデータ放送に関するデータに基づくデータ放送を前記表示手段に表示するための放送条件を予め設定する放送条件設定手段をさらに備え、
前記制御手段は、前記設定された放送条件に基づき、前記記憶手段に記憶されたデータ放送に関するデータに基づくデータ放送を前記表示手段に表示することを特徴とする地上波デジタル放送受信装置。
【請求項４】
請求項１から３のいずれかに記載の地上波デジタル放送受信装置において、
前記記憶手段は、前記地上波デジタル放送の受信が可能なとき、前記制御手段が前記テレビ放送を前記表示手段に表示しているバックグラウンドで、前記データ放送に関するデータを記憶することを特徴とする地上波デジタル放送受信装置。
【請求項５】
請求項１から４のいずれかに記載の地上波デジタル放送受信装置において、
前記記憶手段は、前記データ放送抽出手段により抽出されたデータ放送に関するデータを、加工前のデータに基づくデータ放送の表示よりも簡易なデータ放送の表示となるデータに加工して記憶することを特徴とする地上波デジタル放送受信装置。
【請求項６】
請求項５記載の地上波デジタル放送受信装置において、
前記記憶手段は、前記データ放送抽出手段により抽出されたデータ放送に関するデータを、加工前のデータに基づくデータ放送の表示から文字の表示を少なくとも一部削除したデータ放送の表示となるデータに加工して記憶することを特徴とする地上波デジタル放送受信装置。
【請求項７】
請求項５から６のいずれかに記載の地上波デジタル放送受信装置において、
ユーザの操作により指示を入力する指示入力手段をさらに備え、
前記記憶手段は、さらに前記データ放送に関するデータの前記加工前のデータを記憶し、
前記制御手段は、前記地上波デジタル放送の受信が不可能になったとき、前記記憶手段に記憶された前記加工されたデータに基づき前記簡易なデータ放送の表示を行い、前記指示入力手段により前記指示の入力があったとき、前記加工前のデータに基づくデータ放送の表示に切り替えることを特徴とする地上波デジタル放送受信装置。
【請求項８】
車載用ナビゲーション装置であって、
表示手段と、
請求項１から７のいずれかに記載の地上波デジタル放送受信装置とを備え、
前記制御手段は、さらに、ナビゲーションに関する処理を行うとともに、前記表示手段に前記ナビゲーションに関する処理に伴う表示を行うことを特徴とする車載用ナビゲーション装置。
【発明の詳細な説明】
【技術分野】
【０００１】
本発明は、地上波デジタル放送を受信して種々の放送をモニタ等に表示する地上波デジタル放送受信装置およびナビゲーション装置に関する。特に、車に搭載可能な地上波デジタル放送受信装置およびナビゲーション装置に関する。
【背景技術】
【０００２】
デジタルデータでテレビ放送を提供する地上波デジタル放送が知られている。また、地上波デジタル放送受信機能を有し、モニタ上に地上波デジタル放送のテレビ放送を表示する車載用ナビゲーション装置も知られている。このような車両などの移動体上で地上波デジタル放送を受信する場合、地上波デジタル放送の電波が途絶え、放送が途切れることがある。
【０００３】
この放送の途切れを防止するために、放送電波の瞬断によるデジタルデータの欠落を予測し、事前に欠落が予想されるデジタルデータを放送局から取得して端末側に格納し、欠落が発生した際には欠落したデータを予め用意しておいた補完用データにより端末側で補完する技術が提案されている（例えば、特許文献１参照）。
【０００４】
【特許文献１】特開２００３−１３４０６４号公報
【発明の開示】
【発明が解決しようとする課題】
【０００５】
しかし、このような技術は、車両がトンネルなどに入って、地上波デジタル放送の電波が完全に途絶えるような場合には適用できない。すなわち、車両がトンネルなどに入った場合、放送が途絶えてしまうという問題は依然として残る。
【課題を解決するための手段】
【０００６】
請求項１の発明は、地上波デジタル放送受信装置に適用され、地上波デジタル放送を受信する受信手段と、受信した地上波デジタル放送からデータ放送に関するデータを抽出するデータ放送抽出手段と、受信した地上波デジタル放送からテレビ放送に関するデータを抽出するテレビ放送抽出手段と、データ放送抽出手段により抽出されたデータ放送に関するデータを記憶する記憶手段と、地上波デジタル放送の受信が可能なとき、テレビ放送抽出手段により抽出されたテレビ放送に関するデータに基づくテレビ放送を表示手段に表示し、地上波デジタル放送の受信が不可能になったとき、記憶手段に記憶されたデータ放送に関するデータに基づくデータ放送を表示手段に表示する制御手段とを備えることを特徴とするものである。
請求項２の発明は、請求項１記載の地上波デジタル放送受信装置において、データ放送により取得する情報の種別を予め設定する情報種別設定手段をさらに備え、記憶手段は、抽出されたデータ放送に関するデータの中から設定された情報の種別に関するデータをさらに抽出して記憶することを特徴とするものである。
請求項３の発明は、請求項１から２のいずれかに記載の地上波デジタル放送受信装置において、記憶手段に記憶されたデータ放送に関するデータに基づくデータ放送を表示手段に表示するための放送条件を予め設定する放送条件設定手段をさらに備え、制御手段は、設定された放送条件に基づき、記憶手段に記憶されたデータ放送に関するデータに基づくデータ放送を表示手段に表示することを特徴とするものである。
請求項４の発明は、請求項１から３のいずれかに記載の地上波デジタル放送受信装置において、記憶手段は、地上波デジタル放送の受信が可能なとき、制御手段がテレビ放送を表示手段に表示しているバックグラウンドで、データ放送に関するデータを記憶することを特徴とするものである。
請求項５の発明は、請求項１から４のいずれかに記載の地上波デジタル放送受信装置において、記憶手段は、データ放送抽出手段により抽出されたデータ放送に関するデータを、加工前のデータに基づくデータ放送の表示よりも簡易なデータ放送の表示となるデータに加工して記憶することを特徴とするものである。
請求項６の発明は、請求項５記載の地上波デジタル放送受信装置において、記憶手段は、データ放送抽出手段により抽出されたデータ放送に関するデータを、加工前のデータに基づくデータ放送の表示から文字の表示を少なくとも一部削除したデータ放送の表示となるデータに加工して記憶することを特徴とするものである。
請求項７の発明は、請求項５から６のいずれかに記載の地上波デジタル放送受信装置において、ユーザの操作により指示を入力する指示入力手段をさらに備え、記憶手段は、さらにデータ放送に関するデータの加工前のデータを記憶し、制御手段は、地上波デジタル放送の受信が不可能になったとき、記憶手段に記憶された加工されたデータに基づき簡易なデータ放送の表示を行い、指示入力手段により指示の入力があったとき、加工前のデータに基づくデータ放送の表示に切り替えることを特徴とするものである。
請求項８の発明は、車載用ナビゲーション装置に適用され、表示手段と、請求項１から７のいずれかに記載の地上波デジタル放送受信装置とを備え、制御手段は、さらに、ナビゲーションに関する処理を行うとともに、表示手段にナビゲーションに関する処理に伴う表示を行うことを特徴とするものである。
【発明の効果】
【０００７】
本発明は、以上説明したように構成しているので、次のような効果を奏する。
テレビ放送中に地上波デジタル放送が受信不可になっても、地上波デジタル放送の有用な放送を途絶えることなく視聴することができる。
【発明を実施するための最良の形態】
【０００８】
図１は、本実施の形態の車載用ナビゲーション装置１のブロック図を示す図である。ナビゲーション装置１は、制御装置１１、現在地検出装置１２、入力装置１３、ハードディスク１４、ＲＦ受信機１５、電波強度監視回路１６、モニタ１７、音声出力装置１８などを有する。本実施の形態のナビゲーション装置１は、ナビゲーションに関する処理を行うとともに、地上波デジタル放送を受信してモニタ上に地上波デジタル放送を表示することができる。
【０００９】
制御装置１１は、マイクロプロセッサおよびその周辺回路から構成される。現在地検出装置１２は車両の現在地を検出し、例えば車両の進行方位を検出する方位センサや車速を検出する車速センサやＧＰＳ（Global Positioning System）衛星からのＧＰＳ信号を検出するＧＰＳセンサ等から成る。
【００１０】
入力装置１３は、経路探索時に車両の目的地等を入力したりするときに使用される。地上波デジタル放送に関する操作を指示するときにも使用される。リモコンであってもよいし、モニタ１７の画面上に設けられたタッチパネルなどで構成してもよい。ハードディスク１４は、書き換え可能な不揮発性記録媒体であり、ナビゲーションの処理に使用する地図データなどを格納する。また、後述する地上波デジタル放送のデータ放送に関するデータも格納する。
【００１１】
ＲＦ受信機１５は、地上波デジタル放送局２からの地上波デジタル放送電波を受信し、受信した地上波デジタル放送の電波からデジタルデータを抽出して制御装置１１へ出力する。電波強度監視回路１６は、ＲＦ受信機１５が受信した地上波デジタル放送の電波の強度を監視（検出）する。具体的には、受信した地上波デジタル放送の電波強度を数値化し、制御装置１１へ出力する。
【００１２】
モニタ１７は、ナビゲーションの処理に関する表示および地上波デジタル放送の表示を行う。モニタ１７は、ナビゲーション装置１本体の一部として一体に設けてもよいし、筐体としては別々に設けてもよい。さらに、モニタ１７のみを、ナビゲーション装置１本体とケーブルなどによって接続し、分離した位置に設けるようにしてもよい。
【００１３】
音声出力装置１８は、ナビゲーションの処理に関する音声による案内を出力する。また、地上波デジタル放送の音楽や音声も出力する。
【００１４】
このように構成されたナビゲーション装置１において、制御装置１１は、現在地検出装置１２で検出された車両の現在地情報とハードディスク１４に格納された地図データなどを使用して、道路地図および現在地マークの表示、経路計算（経路探索）、経路誘導等の各種のナビゲーション処理を行う。また、地上波デジタル放送の表示モードが選択されている場合は、受信した地上波デジタル放送をモニタ１７上に表示し、音声出力装置１８を介して地上波デジタル放送の音声を出力する。なお、制御装置１１が実行する各種の処理プログラムは、制御装置１１内部に設けられたＲＯＭ（不図示）に組み込まれている。
【００１５】
以下、地上波デジタル放送の表示について詳しく説明する。
【００１６】
地上波デジタル放送は、地上波のＵＨＦ帯を使用してデジタルデータにより提供する放送である。地上波デジタル放送は、テレビ放送およびデータ放送などを提供する。地上波デジタル放送のテレビ放送は、従来のＶＨＦ帯を使用してアナログ信号により提供されていたテレビ放送に代わるものであり、各放送局からリアルタイムで各種の番組が放送される。すなわち、各放送局から、リアルタイムに変化する画像データや音声データが送られてくる。
【００１７】
一方、地上波デジタル放送のデータ放送は、天気、ニュース、生活情報等の各種の情報を提供する放送である。メニュー画面上で見たい情報を選択することにより、各種の情報の提供を受けることができる。各種情報のデータ伝送は、例えば、一定周期で同じ内容を送りつづけるいわゆるカルーセル方式が採用される。すなわち、データ放送の各種情報のデータは、テレビ放送とは異なりリアルタイムに変化するのものではない。言い換えれば、リアルタイム性を有しない放送である。なお、各種情報は、放送局内部において一定時間ごとに更新がなされる。
【００１８】
本実施の形態のナビゲーション装置１では、地上波デジタル放送のテレビ放送の表示モードが選択されると、テレビ放送をモニタ１７上や音声出力装置１８に出力する。この場合において、地上波デジタル放送の受信が不可能になると、自動的に予めハードディスク１４に格納されていたデータ放送のデータを使用してデータ放送に切り替える。このようにして、地上波デジタル放送の有用な情報の提供を絶え間なく行うようにしたものである。
【００１９】
図２は、ナビゲーション装置１において、地上波デジタル放送のテレビ放送の表示モードが選択され、地上波デジタル放送のテレビ放送が出力されている様子を説明する図である。このとき、バックグラウンドで、データ放送からユーザが予め設定した種別の情報に関するデータを自動的に取得し（符号２１）、取得データを加工してハードディスク１４に保存する。加工前の元の取得データも同時に保存する。
【００２０】
図３は、地上波デジタル放送の受信が不可になり、データ放送の出力に切り替わった様子を説明する図である。地上波デジタル放送の受信が可能なときに格納されたデータ放送のデータをハードディスク１４から読み出し、モニタ１７に表示するとともに音声出力装置１８から音声出力する。なお、データ放送は、音声出力がなくモニタ１７上の表示のみの場合もある。
【００２１】
図３の例では、天気、ニュース速報、スポーツ情報の情報種別のデータが格納されていて、それらが読み出された状態を示している。図３では、まず、天気の情報が出力されている。天気の中でもユーザが指定した「関東地方のお天気」に関する情報が表示されている。天気、ニュース速報、スポーツ情報の各画面は、予めユーザが指定した間隔で切り替えて表示される。音声データがある場合は、画面の切り替わりに伴って音声出力も切り替わる。
【００２２】
図４は、データ放送を、簡易な画像の表示から詳細な画像の表示に切り替える様子を説明する図である。本実施の形態では、地上波デジタル放送の受信が不可になり、データ放送の出力に切り替わったとき、まず、簡易な画像のデータ放送を表示する。これは、文字などを含む詳細な画像を表示すると、ユーザすなわち運転手が画面に集中してしまう恐れがあり、運転への危険を伴う可能性が生じるからである。
【００２３】
本実施の形態では、情報種別を表す簡易な画像（図形）のみ、あるいは情報の種別を示すタイトル文字のみ、あるいはその両方の簡易な表示をし、ユーザの操作によるリクエストに応じて、文字情報を含む詳細な内容の表示するようにした。これにより、運転の安全性が確保できる。なお、画像は、データ放送から文字部分を除いて残る画像（図形やグラフィック）のみであってもよい。
【００２４】
図４（ａ）は、スポーツ情報のタイトル文字と簡易な画像のみが表示されている様子を示している。このタイトル文字と簡易な画像のデータは、データ放送の元のデータから加工してハードディスク１４に格納されている。この状態で、入力装置１３を使用して詳細情報を表示するための指示を入力すると、図４（ｂ）の詳細な文字情報を含む詳細画面が表示される。図４（ｂ）の詳細画像は、データ放送の元々のデータをそのまま使って表示される。従って、ハードディスク１４には、加工データに加えて、データ放送の加工前のデータ（元データ）も格納される。
【００２５】
図５は、データ放送の受信データの種別および放送条件をユーザが設定する処理のフローチャートを示す図である。本実施の形態では、地上波デジタル放送の受信が不可になり、データ放送の出力に切り替わったとき、どのようなデータ放送をどのような条件で放送するかをユーザが予め設定しておく。図５の処理は、制御装置１１が実行する。
【００２６】
ステップＳ１では、ユーザが求めるデータ放送の種別（例えば、お天気情報（関東：東京），ニュース速報など）を設定する。データ放送の種別とは、ユーザが求める情報の種別であり、ユーザが求める情報のジャンル（好み）である。ユーザに、実際にデータ放送のメニュー上で操作を行わせることにより取得する。これにより、数多くある情報の種別の中から、ユーザの希望に合った種別の情報に関するデータを取得することができる。
【００２７】
ステップＳ２では、受信したデータの更新間隔を設定する。ユーザに、実際にデータ放送上でメニューの操作などを行わせることにより取得する。これにより、どのようなタイミング、頻度で最新の情報を取得するようにするかが決まる。
【００２８】
ステップＳ３では、複数取得したデータ放送のデータを自動的に画面に表示する間隔を設定する。すなわち、複数の種別のデータ放送の画面の切り替えタイミングを設定する。所定のメニュー画面を表示し、ユーザに入力装置１３を使用して入力させることにより行う。これにより、データ放送が提供する多くの情報を自動的に所望のタイミングで切り替えて見ることが可能となる。
【００２９】
ステップＳ４では、ステップＳ１からステップＳ３において設定された設定値をハードディスク１４に格納し、処理を終了する。
【００３０】
図６は、データ放送のデータを保存する処理のフローチャートを示す図である。図６の処理は、ＲＦ受信機１５が地上波デジタル放送局２から地上波デジタル放送を受信しデジタルデータを抽出して制御装置１１へ出力したところから開始する。図６の処理は、制御装置１１が実行する。
【００３１】
ステップＳ１１では、デジタルデータからデータ放送のデータを抽出して取得する。ステップＳ１２では、データ放送の視聴の有無を判断する。現在地上波デジタル放送の表示モードになっていて、さらにデータ放送の視聴になっているかどうかを判断する。ステップＳ１２でデータ放送の視聴有りと判断すると、ステップＳ１３に進む。
【００３２】
ステップＳ１３では、データ放送をモニタ１７に出力する。データ放送は、まずデータ放送のメニュー画面を表示する。ユーザは、メニュー画面に従って、入力装置１３を使用して所望の情報の種別等を選択し、所望の情報に関するデータ放送を視聴することができる。
【００３３】
ステップＳ１２でデータ放送の視聴無しと判断すると、ステップＳ１４に進む。ステップＳ１４では、ユーザが設定した好みに応じたデータ放送を取得するか否かを判断する。ユーザが好みのデータ種別を設定していない場合は、ステップＳ１４で否定の判断をしステップＳ１５に進む。ステップＳ１５では、取得したデータ放送のデータを破棄する。ユーザが好みのデータ種別を設定していないことは、地上波デジタル放送の受信が不可でも、ユーザはデータ放送への切り替えを望んでいない場合であり、データ放送のデータの保存は不要となる。
【００３４】
ステップＳ１４でユーザが設定した好みに応じたデータ放送を取得すると判断すると、ステップＳ１６に進む。これは、地上波デジタル放送の受信が不可の場合に、ユーザがデータ放送への切り替えを望んでる場合である。ステップＳ１６では、取得したデータ放送のデータの解析を行い、データ放送の簡易表示データと詳細表示データを準備し、ステップＳ１７およびステップＳ１８へ進む。
【００３５】
簡易表示データは、画像データとタイトル文字とからなるデータである。画像データは、データ放送の種別を簡易に視覚的に示す画像（絵や図形やグラフィック）である。タイトル文字は、当該種別のデータ放送のタイトルを示すものである。簡易表示データは、取得したデータ放送のデータから、文字情報などを削除する加工をして生成される。詳細表示データは、取得したデータ放送のデータをそのまま使用する表示データであり、多くの文字情報を含むデータである。
【００３６】
すなわち、簡易表示データは実質的にデータ放送の元データを加工したデータであり、詳細表示データは実質的にデータ放送の元データを加工しないデータである。さらに別の言い方をすれば、詳細表示データは、取得したデータ放送のデータが保有している本来の情報をそのままの状態でハードディスク１４に格納するデータであり、簡易表示データは取得したデータ放送のデータが保有している本来の情報を一部省略する加工をしたり、簡略化する加工をしてハードディスク１４に格納するデータである。
【００３７】
ステップＳ１７では、ステップＳ１６で準備した簡易表示データをハードディスク１４に格納する。ステップＳ１８では、ステップＳ１６で準備した詳細表示データをハードディスク１４に格納する。
【００３８】
図７は、地上波デジタル放送のテレビ放送表示モードが設定されているときの処理のフローチャートを示す図である。図７の処理は、制御装置１１が実行する。
【００３９】
ステップＳ２１では、電波強度監視回路１６から入力される地上波デジタル放送の電波強度に関するデータを取得し、電波強度が十分か否かを判断する。具体的には、電波強度が所定の値以上か否かを判断する。電波強度が十分であると判断するとステップＳ２２に進み、十分でないと判断するとステップＳ２３に進む。電波強度が十分であるとは、地上波デジタル放送の受信が可であり、電波強度が十分でないとは、地上波デジタル放送の受信が不可であることを意味する。電波強度が十分か否かとは、地上波デジタル放送が受信可能な範囲に車両がいるか否かということも意味する。
【００４０】
ステップＳ２２では、テレビ放送をモニタ１７および音声出力装置１８に出力し、ステップＳ２４に進む。ステップＳ２４では、図６で説明したデータ放送に関するデータの保存を行い、ステップＳ２１に戻り処理を繰り返す。
【００４１】
一方、ステップＳ２３では、データ放送に切り替える。データ放送は、図３および図４で説明したように、電波強度が十分のときにステップＳ２４で格納されたデータ放送のデータを使用して行う。その後、ステップＳ２１に戻り処理を繰り返す。電波強度が十分になったときには、テレビ放送に戻る。なお、図６のステップＳ１４、ステップＳ１５で説明したように、データ放送のデータを保存していない場合は、例えば「地上波デジタル放送が受信できません」のような所定の画面を表示する。あるいは、ナビゲーション処理の画面に移行するようにする。
【００４２】
以上説明したナビゲーション装置１を使用すると、次のような効果を奏する。
（１）テレビ放送中に地上波デジタル放送が受信不可になったとき、以前に格納していたデータ放送のデータを使用したデータ放送に切り替えるようにしたので、地上波デジタル放送の有用な情報を絶え間なく提供することができる。特に、車両がトンネルや建物の中に入って地上波デジタル放送の電波が完全に途絶えるような場合であっても、地上波デジタル放送の有用な放送を途絶えることなく視聴することができる。
（２）切り替えるデータ放送の情報の種別は予め設定しておくので、数多くあるデータ放送の情報の種別から自分の好みにあった種別（ジャンル）の情報について自動的に視聴することができる。また、情報の更新間隔や各種情報の各画面の切り替え間隔や順序などの放送条件を予め設定しておくので、自分の好みにあった放送条件でデータ放送を視聴することができる。
（３）テレビ放送が視聴できているバックグラウンドでデータ放送のデータを取得して格納するので、テレビ放送の視聴を邪魔することなくデータを格納することができる。また、バックグラウンドでのデータ取得は、事前に設定された条件で自動的に行うので、その都度のユーザの操作を必要としない。さらに、地上波デジタル放送が受信できなくなった、すなわちテレビ放送が視聴できなくなった直前のデータ放送のデータを格納しているので、最新のデータ放送を視聴することができる。
（４）データ放送に切り替わったとき、最初は簡易な表示のデータ放送をするようにしているので、車の運転上の安全が確保できる。例えば、詳細な文字情報などをいきなり表示すると、運転者はそれに集中するおそれがある。しかし、タイトル文字や簡易な画像のみであれば、運転者は画面に集中するおそれもなく安全である。その後、運転者の操作に応じて詳細な画像を表示するので、運転者の意思の下に表示される詳細な表示は安全上問題は生じない。簡易な表示には、特に、詳細な文字情報の表示を削除しているので、運転者の画面への集中を防止できる。
（５）データ放送に関するデータは予め取得してハードディスク１４に格納されているので、データ放送に切り替えたとき、瞬時に所望のデータ放送を視聴することができる。すなわち、データ放送を視聴するとき、カルーセル方式によりデータの取得が完了するまでに時間がかかるというい弊害も生じない。
【００４３】
上記実施の形態では、ナビゲーション装置１が地上波デジタル放送の受信機能を持っている例を説明したが、必ずしもこの内容に限定する必要はない。本発明は、地上波デジタル放送受信装置単独の装置にも適用できる。この場合、上記の実施の形態の構成から、ナビゲーション装置特有の機能を削除して考えればよい。例えば、図１のブロック図から現在地検出装置１２の構成のみを削除して構成される地上波デジタル放送受信装置が考えられる。このように構成された地上波デジタル放送受信装置を車に搭載するような場合にも、上記のような効果を奏する。
【００４４】
また、このような地上波デジタル放送受信装置を車に搭載する場合に限定する必要もない。すなわち、地上波デジタル放送の電波が受信可能な状態から受信不可の状態に移行しえる状況全般において、本発明を適用した地上波デジタル放送受信装置は効果を発揮する。例えば、地上波デジタル放送受信装置を、列車や飛行機や他の乗り物に搭載する場合であってもよい。
【００４５】
また、人が持ち運び可能な地上波デジタル放送受信装置であって、人の移動により地上波デジタル放送の電波が受信不可になるような状況にも本発明は適用できる。例えば、携帯電話が地上波デジタル放送の受信機能を有している場合にも、本発明は適用することができる。地上波デジタル放送の受信機能を有した携帯電話が、本発明の地上波デジタル放送受信装置に該当する。
【００４６】
上記実施の形態では、簡易表示データとして、データ放送の種別を簡易に視覚的に示す画像と当該種別のデータ放送のタイトルを示すタイトル文字とからなるデータの例を説明したが、必ずしもこの内容に限定する必要はない。簡易表示は、通常のデータ放送で放送する表示内容を簡易にしたものであればどのようなものでもよい。特に、データ放送の放送しようとしている情報の種別が、視覚的にあるいは一目みただけで容易に識別することができる表示などがよい。また、運転者が画面に集中してしまうような表示は極力排除されているのが好ましい。例えば、文字による詳細な情報などはない方がよい。データ放送の情報の種別を示すタイトル文字などは表示されていてもよい。この場合、一目見て直感的に読み取れるぐらいに、文字の大きさは大きいほうがよい。
【００４７】
上記実施の形態では、簡易表示から元のデータを使用した詳細表示への２段階の表示の例を説明したが、必ずしもこの内容に限定する必要はない。詳細な表示をさらに数段階に階層化するようにしてもよい。すなわち、データ放送の情報の種別が分かる程度の簡易な表示から、最終的にデータ放送のデータをすべて使用した詳細な表示にいたるまでを、情報に応じて数段階に階層化してもよい。ユーザは、より詳細な情報をほしいときに限って入力装置１３を操作し、階層を深めていく。途中でほしい情報が得られた場合は、その階層で操作を打ち切ればよい。
【００４８】
上記実施の形態では、データ放送として、天気、ニュース、スポーツ情報、生活情報等の各種の情報を提供する放送であると説明した。その他にも、交通渋滞の情報や観光情報など地域特有の情報などもある。すなわち、データ放送で放送される情報の種別は各種のものがある。
【００４９】
上記実施の形態では、不揮発性メモリとしてハードディスク１４の例を説明したが、必ずしもこの内容に限定する必要はない。例えば、フラッシュメモリやバッテリバックアップされたＳＲＡＭなどのメモリであってもよい。
【００５０】
上記実施の形態では、図７において、電波強度が弱い状態から強い状態に戻ったとき自動的にテレビ放送に戻る例を説明した。しかし、電波強度が強くなったときに、ユーザにテレビ放送に戻るか否かを確認する表示をし、ユーザからの指示に応じてテレビ放送に戻るようにしてもよい。
【００５１】
上記実施の形態では、ナビゲーション装置１が実行するプログラムは、すでに各装置に搭載されている例で説明をしたが、この内容に限定する必要はない。これらのプログラムを、ＤＶＤやＣＤ−ＲＯＭなどの記録媒体で提供するようにしてもよい。この場合には、ナビゲーション装置１がそれらの記録媒体からデータを読み込む装置が必要となる。また、それらのプログラムをインターネットなどに代表される通信回線などの伝送媒体を介して提供するようにしてもよい。すなわち、プログラムを、伝送媒体を搬送する搬送波上の信号に変換して送信することも可能である。この場合も、インターネットなどの通信回線に接続する通信インターフェースが必要となる。
【００５２】
上記実施の形態では、車両に搭載されるナビゲーション装置の例を説明したが、必ずしもこの内容に限定する必要はない。上述したナビゲーション装置１用の制御プログラムを携帯可能なパソコン（モバイルコンピュータ）上で実行させてナビゲーション装置を実現するようにしてもよい。その場合、現在地検出装置１３などはパソコンの所定のＩ／Ｏポートなどに接続するようにすればよい。また、地上波デジタル放送が受信可能な拡張ボードが必要となる。また、パソコン上で地上波デジタル放送受信装置のみを実現する場合であってもよい。
【００５３】
上記では、種々の実施の形態および変形例を説明したが、本発明はこれらの内容に限定されるものではない。本発明の技術的思想の範囲内で考えられるその他の態様も本発明の範囲内に含まれる。
【図面の簡単な説明】
【００５４】
【図１】本実施の形態の車載用ナビゲーション装置のブロック図を示す図である。
【図２】ナビゲーション装置において、地上波デジタル放送のテレビ放送が出力されている様子を説明する図である。
【図３】データ放送の出力に切り替わった様子を説明する図である。
【図４】データ放送を、簡易な画像の表示から詳細な画像の表示に切り替える様子を説明する図である。
【図５】データ放送の受信データ種別および放送条件をユーザが設定する処理のフローチャートを示す図である。
【図６】データ放送のデータを保存する処理のフローチャートを示す図である。
【図７】地上波デジタル放送のテレビ放送表示モードが設定されているときの処理のフローチャートを示す図である。
【符号の説明】
【００５５】
１  車載用ナビゲーション装置
２  地上波デジタル放送局
１１  制御装置
１２  現在地検出装置
１３  入力装置
１４  ハードディスク１４
１５  ＲＦ受信機
１６  電波強度監視回路
１７  モニタ
１８  音声出力装置
【図１】
2005252673.tif 000003
【図２】
2005252673.tif 000004
【図３】
2005252673.tif 000005
【図４】
2005252673.tif 000006
【図５】
2005252673.tif 000007
【図６】
2005252673.tif 000008
【図７】
2005252673.tif 000009